(57)【要約】【課題】上下階で住み分ける世帯間の交流を充分に行えて、しかも、スペース効率の良好な二世帯住宅構造を提供する。【解決手段】階段部３１には、１回の折り返しにより、上階に到達する折返階段３３の折り返し部分に位置する踊り場３４から、親世帯の居間３６方向に向けて延長された延長中間床部３５を有している。この延長中間床部３５は、上面視略長方形形状に形成されると共に、高さ位置が、上下階の略中間に位置するように構成されている。そして、この階段部３１では、折返階段３３の一部３３ａと、この延長中間床部３５の一側面３５ａとが、前記下階に設けられた交流スペース２９に面している。【選択図】図１
2008266932.tif 000002
【特許請求の範囲】
【請求項１】
上下階を、階段部を介在させて連続させつつ、別世帯が住み分ける二世帯住宅構造であって、
前記階段部には、折り返し部分に位置する踊り場が延長された延長中間床部を有し、該階段部又は延長中間床部のうち、少なくとも一部が、前記下階に設けられた交流スペースに面していることを特長とする二世帯住宅構造。
【請求項２】
前記交流スペースは、下階の世帯の居間と、引き戸部材によって開閉自在に分離されていることを特長とする請求項１記載の二世帯住宅構造。
【請求項３】
前記階段部又は延長中間床部の下方には、ペットの居住空間が設けられていることを特長とする請求項１又は２記載の二世帯住宅構造。
【請求項４】
前記交流スペースには、床下暖房装置が設けられていることを特長とする請求項１乃至３のうち、何れか一項記載の二世帯住宅構造。
【請求項５】
前記延長中間床部は、上階の世帯のスペースに面していることを特長とする請求項１乃至４のうち、何れか一項記載の二世帯住宅構造。
【発明の詳細な説明】
【技術分野】
【０００１】
本発明は、上下階で分離された世帯間の交流を図れる二世帯住宅構造に関するものである。
【背景技術】
【０００２】
従来、図５に示すような二世帯住宅構造が知られている（例えば、特許文献１等参照。）。
【０００３】
このような従来の二世帯住宅構造では、住宅１の一階部分に設けられた玄関スペース２の土間部３に連設される廊下部４には、引き戸５ａ及びスライド収納棚５ｂを介して、親世帯の寝室７が連設されている。
【０００４】
また、この廊下部４の反対側側面には、片開き扉６ａ及び間仕切りパネル６ｂを介して、開閉自在となるように区画された子世帯のダイニングキッチン８が設けられている。
【０００５】
この玄関スペース２の正面には、階段下収納部９が設けられている。また、子世帯の玄関部１２及び廊下１３に面するＬ字状階段１０が、この階段下収納部９の上部に形成されていて、壁部１１によって、この玄関スペース２と区画されている。
【０００６】
次に、この従来の二世帯住宅構造の作用効果について説明する。
【０００７】
このように構成された従来の二世帯住宅構造では、前記間仕切りパネル６ｂを、開放することにより、子世帯のダイニングキッチン８と、玄関スペース２との間が連通すると共に、前記親世帯の寝室７と、この玄関スペース２との間の引き戸５ａ及びスライド収納棚５ｂを開放することにより、親世帯の寝室７と、玄関スペース２とを連通させることが出来る。
【０００８】
このため、共通の玄関スペース２を、必要に応じて、親子世帯間の交流を図る空間としたり、或いは分離して世帯相互間のプライバシーを守ることができる。
【０００９】
また、図６に示すような多世帯住宅構造も知られている（例えば、特許文献２等参照）。
【００１０】
このような多世帯住宅構造の建物１４では、玄関部１５の正面に位置する直線状階段１６の一側面に形成された壁部及び引き戸１９等によって、玄関部１５と分離されて、親世帯の寝室１８内のプライバシーが守られている。
【特許文献１】特開平８−３３８１３９号公報（第０００９段落乃至第００１５段落、図１乃至図４）
【特許文献２】特開平１０−２９２６４７号公報（第００１１段落乃至第００３９段落、図１、図２）
【発明の開示】
【発明が解決しようとする課題】
【００１１】
しかしながら、図５に示すこのような従来の二世帯住宅構造では、上階に昇る階段室９の上部が、壁部１１で閉塞されて、前記玄関スペース２とは、区画されている為に、上階に居住する世帯の者と、共有部分である玄関スペース２にいる者との間で、交流を図ることが出来なかった。
【００１２】
また、図６に示すものでは、直線状階段１６の昇降中に立ち止まって、前記玄関部１５にいる者と交流を図ることが出来るに留まり、充分に交流を図るスペースが確保しにくいと共に、一旦、引き戸１９を閉めてしまうと、居住スペースである寝室１８内の者と、交流が、図れなくなってしまうといった問題もあった。
【００１３】
そこで、この発明は、上下階で住み分ける世帯間の交流を充分に行えて、しかも、スペース効率の良好な二世帯住宅構造を提供することを課題としている。
【課題を解決するための手段】
【００１４】
上記目的を達成するために、請求項１に記載された発明は、上下階を、階段部を介在させて連続させつつ、別世帯が住み分ける二世帯住宅構造であって、前記階段部には、折り返し部分に位置する踊り場が延長された延長中間床部を有し、該階段部又は延長中間床部のうち、少なくとも一部が、前記下階に設けられた交流スペースに面している二世帯住宅構造を特長としている。
【００１５】
また、請求項２に記載されたものは、前記交流スペースは、下階の世帯の居間と、引き戸部材によって開閉自在に分離されている請求項１記載の二世帯住宅構造を特長としている。
【００１６】
更に、請求項３に記載されたものは、前記階段部又は延長中間床部の下方には、ペットの居住空間が設けられている請求項１又は２記載の二世帯住宅構造を特長としている。
【００１７】
また、請求項４に記載されたものは、前記交流スペースには、床下暖房装置が設けられている請求項１乃至３のうち、何れか一項記載の二世帯住宅構造を特長としている。
【００１８】
更に、請求項５に記載されたものは、前記延長中間床部は、上階の世帯のスペースに面している請求項１乃至４のうち、何れか一項記載の二世帯住宅構造を特長としている。
【発明の効果】
【００１９】
このように構成された請求項１記載の発明では、前記階段部に設けられた延長中間床部が、該階段部の折り返し部分に位置する踊り場が延長されて形成されていて、該階段部又は延長中間床部のうち、少なくとも一部が、前記下階に設けられた交流スペースに面して、連通されている。
【００２０】
このため、帰宅して階段を上がる上階の世帯の者のみならず、該階段部又は延長中間床部を用いて、事務、家事、又は遊技等を行う者が、前記下階に設けられた交流スペースの者に対して、充分に交流を行うことが出来る。
【００２１】
また、請求項２に記載されたものは、前記交流スペースが、下階の世帯の居間と、引き戸部材によって開閉自在に分離されている。
【００２２】
このため、必要に応じて、前記引き戸部材によって閉塞することにより、前記延長中間床部と区画することができる。
【００２３】
更に、請求項３に記載されたものは、前記階段部又は延長中間床部の下方に設けられたペットの居住空間内にいるペットと、交流スペース内の者との交流が図れると共に、建物内のスペース効率を良好なものとすることができる。
【００２４】
また、請求項４に記載されたものは、前記交流スペースに設けられた床下暖房装置によって、交流スペース及び該交流スペースに延長中間床部を介在させて連通する階段部から、上階へ向けて、効果的に暖房することができる。
【００２５】
更に、請求項５に記載されたものは、前記延長中間床部は、上階の世帯のスペースに面している。
【００２６】
このため、該延長中間床部からは、下階の交流スペースの者に加えて、上階の世帯のスペースの者に対しても、交流を図れるので、更に、世帯間の円滑な交流が促進される。
【発明を実施するための最良の形態】
【００２７】
次に、図面に基づいて、この発明を実施するための最良の実施の形態の親子の居室が逆転可能な二世帯住宅構造について、説明する。なお、前記従来例と同一乃至均等な部分については、同一符号を付して説明する。
【実施例１】
【００２８】
図１乃至図４は、この発明の実施の形態の実施例１の二世帯住宅構造を示している。
【００２９】
まず、この実施の形態の実施例１の二世帯住宅の構成から説明すると、図４に示すように上階２０ａ及び下階２０ｂが、階段部２３を介在させて連続されつつ、親世帯及び子世帯の別世帯が住み分けられるように、プラン設定されたユニット建物２０が、図２及び図３に示すように、複数の建物ユニット２４〜２６…等を、上下に２階建てとなるように組み合わせられて構成されている。
【００３０】
このユニット建物２０では、図２に示すように、１階に設けられた玄関部２７を構成する土間部２８が、親世帯上がり框２８ａ及び子世帯上がり框２８ｂを直交する二側面に有している。
【００３１】
そして、この土間部２８から、交流スペース２９に連らなる親世帯アプローチ３０と、階段部３１を介して、上階の子世帯空間に連なる子世帯アプローチ３２とが、各々完全に分離独立されるように構成されている。
【００３２】
このうち、前記階段部３１には、１回の折り返しにより、上階に到達する折返階段３３と、この折返階段３３の折り返し部分に位置する踊り場３４と、この踊り場３４から、親世帯の居間３６方向に向けて延長された延長中間床部３５とを有して、主に構成されている。
【００３３】
この延長中間床部３５は、図２に示されるように、１つの建物ユニット内に設けられた前記階段部３１の折返階段３３及び踊り場３４と略同一面積を有する上面視略長方形形状に形成されると共に、前記図１に示すように、高さ位置が、上下階の略中間に位置するように構成されている。
【００３４】
そして、この階段部３１では、前記折返階段３３の一部３３ａと、この延長中間床部３５の一側面３５ａとが、前記下階に設けられた交流スペース２９に面している。
【００３５】
この実施例１の延長中間床部３５の一側面３５ａには、図１に示すように、透かし樹脂ボード３５ｃ，３５ｃを有する目隠し部材３５ｂが設けられている。
【００３６】
また、この延長中間床部３５の下方には、ペットの居住空間３７が、パーティーションボード３８によって区画されて設けられている。
【００３７】
更に、この実施例１では、図２に示すように、前記交流スペース２９が、下階の親世帯の居間３６と、引き戸部材３９によって開閉自在となるように分離されている。
【００３８】
また、この実施例１では、図３に示すように、前記延長中間床部３５の一側面３５ｂが、上階の子世帯の家事スペース４０に面するように構成されている。
【００３９】
次に、この実施の形態の実施例１の二世帯住宅構造の作用効果について説明する。
【００４０】
この実施例１では、前記階段部３１に設けられた延長中間床部３５が、階段部３１の折り返し部分に位置する踊り場３４が延長されて、連続形成されている。
【００４１】
そして、この階段部３１の一部３１ａ及び延長中間床部３５の一側面３５ａが、前記下階に設けられた交流スペース２９に面して、連通されている。
【００４２】
このため、帰宅して階段部３１を上がる上階の世帯の者のみならず、この階段部３１の一部である延長中間床部３５を用いて、事務、家事、又は遊技等を行う者が、前記下階に設けられた交流スペース２９の者に対して、充分に交流を行うことが出来る。
【００４３】
また、前記交流スペース２９が、下階の親世帯の居間３６と、引き戸部材３９によって開閉自在に分離されている。
【００４４】
このため、必要に応じて、前記引き戸部材３９によって閉塞することにより、前記延長中間床部３５が連設される交流スペース２９と、下階の親世帯の居間３６とを区画することができる。
【００４５】
更に、前記階段部３１又は延長中間床部３５の下方に設けられたペットの居住空間３７内にいるペットと、交流スペース２９内の者との交流が図れると共に、建物ユニット内を上下方向で、多層構造として使用出来るため、スペース効率を良好なものとすることができる。
【００４６】
また、前記交流スペース２９に床下暖房装置４１を設けることによって、交流スペース２９及びこの交流スペース２９に延長中間床部３５を介在させて連通する階段部３１から、上階へ向けて、効果的に暖房することができる。
【００４７】
更に、前記延長中間床部３５は、上階の世帯の家事スペース４０に面している。
【００４８】
このため、この延長中間床部３５からは、下階の交流スペース２９の者に加えて、上階の子世帯の家事スペース４０に居る者に対しても、交流を図れるので、更に、親子世帯間の円滑な交流が促進される。
【００４９】
また、この実施例１では、前記延長中間床部３５の一側面に、前記透かし樹脂ボード３５ｃ，３５ｃが設けられているので、交流スペース２９の間に適度なプライバシーが保たれる。
【００５０】
以上、図面を参照して、本発明の実施の形態及び実施例１を詳述してきたが、具体的な構成は、この実施の形態に限らず、本発明の要旨を逸脱しない程度の設計的変更は、本発明に含まれる。
【００５１】
即ち、前記実施の形態の実施例１では、親世帯を下階に、子世帯を上階に設定しているが、特にこれに限らず、例えば、子世帯を下階に、親世帯を上階に設定してもよく、世帯数、ユニット建物２０の形状，数量及び延長中間床部３５の材質等や、前記透かし樹脂ボード３５ｃの有無や、交流スペース２９との接続側面の位置や大きさが、特に限定されるものではなく、階段部２３には、折り返し部分に位置する踊り場３４が延長された延長中間床部３５の少なくとも一部を前記交流スペースに面するように設定するものであれば、どのような建物及びプランであってもよい。
【図面の簡単な説明】
【００５２】
【図１】この発明の最良の実施の形態の実施例１の二世帯住宅構造で、ユニット建物の内側から玄関部及び階段部方向を見た斜視図である。
【図２】実施例１の二世帯住宅構造で、ユニット建物の一階の平面図である。
【図３】実施例１の二世帯住宅構造で、ユニット建物の二階の平面図である。
【図４】実施例１の二世帯住宅構造で、ユニット建物の外観図である。
【図５】一従来例の二世帯住宅構造で、一階部分の平面図である。
【図６】他の従来例の二世帯住宅構造で、一階部分の平面図である。
【符号の説明】
【００５３】
２０        ユニット建物（二世帯住宅）
２０ａ      上階
２０ｂ      下階
２３        階段部
２４〜２６  建物ユニット
２７        玄関部
２９        交流スペース
３１        階段部
３３        折返階段
３４        踊り場
３５        延長中間床部
３６        （親世帯）居間
３７        （ペットの）居住空間
３７        引き戸部材
４０        家事スペース
４１        床下暖房装置
【図１】
2008266932.tif 000003
【図２】
2008266932.tif 000004
【図３】
2008266932.tif 000005
【図４】
2008266932.tif 000006
【図５】
2008266932.tif 000007
【図６】
2008266932.tif 000008